(57)【要約】      （修正有）【課題】  ハードディスクから削除された番組情報は特定のユーザしか復帰できないようにすることで録画番組のセキュリティを確保できるようにするとともに、優先順位の低い番組から上書きされるようにしたハードディスクレコーダを提供する。【解決手段】録画番組管理手段により管理される何れかの番組についてユーザによる削除操作がなされる際に、当該番組に関連付けて認証情報及び保存期間を設定可能に構成され、ユーザにより認証情報を設定されたときは、前記録画番組管理手段から当該番組に関する管理情報を削除するとともに、正式な認証情報を入力されたときだけ、前記削除番組管理手段から当該番組に関する管理情報及び削除情報を削除するとともに、前記削除番組管理手段から削除された管理情報を前記録画番組管理手段に格納するようにした。【選択図】  図３
2005347992.tif 000002
【特許請求の範囲】
【請求項１】
外部から入力されるビデオ信号をデジタル化して番組情報をハードディスクに記録する記録手段と、ハードディスクに記録された番組に関する管理情報を記憶して管理する録画番組管理手段と、前記録画番組管理手段において所望の番組を選択することでハードディスクに記録された番組情報を読み出して再生する再生手段と、入力操作装置からの削除指令入力に基づいて当該番組の番組情報が記録されている領域を上書き可能状態とする番組情報削除手段と、前記番組情報削除手段により削除された番組に関する管理情報を記憶して管理する削除番組管理手段と、前記削除番組管理手段により管理されている番組を再生可能に復帰させる番組情報復帰手段と、を備えたハードディスクレコーダにおいて、
前記番組情報削除手段は、前記録画番組管理手段により管理される何れかの番組について入力操作装置からの削除指令入力がなされる際に、当該番組に関連付けて認証情報及び保存期間を設定可能に構成され、入力操作装置からの情報入力により認証情報及び保存期間を設定されたときは前記録画番組管理手段から当該番組に関する管理情報を削除するとともに、前記録画番組管理手段から削除された管理情報と前記認証情報及び保存期間とを前記削除番組管理手段に格納し、
前記保存期間が経過した後で当該番組の番組情報が記録されている領域を上書き可能状態とすることとし、
また、前記削除番組管理手段により管理されている番組が記録されている領域に前記記録手段による上書きが実行された場合は、前記削除番組管理手段から当該番組に関する管理情報、識別情報及び保存期間を削除するとともに、当該番組情報が記録されている領域を優先記録領域とし、
前記番組情報復帰手段は、前記削除番組管理手段により管理される何れかの番組について入力操作装置からの復帰指令入力がなされる際に、正式な認証情報を入力されたときだけ、前記削除番組管理手段から当該番組に関する管理情報、識別情報及び保存期間を削除するとともに、前記削除番組管理手段から削除された管理情報を前記録画番組管理手段に格納し、
前記記録手段は、番組情報をハードディスクに記録する際、ハードディスクの未使用領域、前記優先記録領域、前記番組情報削除手段により削除された番組のうち識別情報が設定されていない番組の番組情報が記録されている領域、識別情報が設定されている番組の番組情報が記録されている領域、の順に記録領域を設定することを特徴とするハードディスクレコーダ。
【請求項２】
外部から入力されるビデオ信号をデジタル化して番組情報をハードディスクに記録する記録手段と、ハードディスクに記録された番組情報を管理する録画番組管理手段と、前記録画番組管理手段において所望の番組を選択することでハードディスクに記録された番組情報を読み出して再生する再生手段と、入力操作装置からの削除指令入力に基づいて当該番組の番組情報が記録されている領域を上書き可能状態とする番組情報削除手段と、前記番組情報削除手段により削除された番組情報を管理する削除番組管理手段と、前記削除番組管理手段により管理されている番組を再生可能に復帰させる番組情報復帰手段と、を備えたハードディスクレコーダにおいて、
前記番組情報削除手段は、前記録画番組管理手段により管理される何れかの番組について入力操作装置からの削除指令入力がなされる際に、当該番組に関連付けて認証情報を設定可能に構成され、入力操作装置からの情報入力により認証情報を設定されたときは、前記録画番組管理手段から当該番組に関する管理情報を削除するとともに、前記録画番組管理手段から削除された管理情報と前記認証情報を含む削除情報とを前記削除番組管理手段に格納し、
前記番組情報復帰手段は、前記削除番組管理手段により管理される何れかの番組について入力操作装置からの復帰指令入力がなされる際に、正式な認証情報を入力されたときだけ、前記削除番組管理手段から当該番組に関する管理情報及び削除情報を削除するとともに、前記削除番組管理手段から削除された管理情報を前記録画番組管理手段に格納することを特徴とするハードディスクレコーダ。
【請求項３】
前記番組情報削除手段は、前記削除番組管理手段により管理されている番組が記録されている領域に、前記記録手段による上書きが実行された場合、前記削除番組管理手段から当該番組に関する管理情報及び削除情報を削除するとともに、当該番組情報が記録されている領域を優先記録領域とし、
前記記録手段は、番組情報をハードディスクに記録する際、ハードディスクの（１）未使用領域、（２）前記優先記録領域、（３）前記削除番組管理手段により管理されている番組のうち、認証情報が設定されていない番組の番組情報が記録されている領域、（４）認証情報が設定されている番組の番組情報が記録されている領域、の順に記録領域を設定することを特徴とする請求項２に記載のハードディスクレコーダ。
【請求項４】
前記番組情報削除手段は、前記録画番組管理手段により管理される何れかの番組について入力操作装置による削除指令入力がなされる際に、当該番組に関連付けて認証情報とともに保存期間を削除情報として設定可能に構成され、
認証情報ととも保存期間が設定された場合は、この保存期間が経過した後で当該番組の番組情報が記録されている領域を上書き可能状態とすることを特徴とする請求項３に記載のハードディスクレコーダ。
【請求項５】
前記番組情報削除手段は、記録領域がない場合は、前記保存期間が経過する前に前記保存期間の早い順に当該番組の番組情報が記録されている領域を上書き可能状態とすることを特徴とする請求項４に記載のハードディスクレコーダ。
【請求項６】
前記記録手段は、前記削除番組管理手段により管理されている番組のうち、前記番組情報削除手段による削除時期が早い順に記録領域を設定することを特徴とする請求項３から５の何れかに記載のハードディスクレコーダ。
【発明の詳細な説明】
【技術分野】
【０００１】
本発明は、テレビ放送信号を受信してデジタルデータとして番組情報をハードディスクに記録するとともに、該ハードディスクから番組情報を読み出してテレビ放送信号を再生するハードディスクレコーダに関する。
【背景技術】
【０００２】
テレビ放送信号等を受信して、録画・再生する録画再生装置としては、従来ＶＴＲ（ビデオテープレコーダ）が主流であったが、最近では大容量のハードディスクを比較的安価に製造できるようになったことに伴い、これを内蔵したハードディスクレコーダが実用化されている。ハードディスクレコーダは、テレビ放送信号等の受信信号をデジタル化してハードディスクに記録するとともに、記録した映像信号をハードディスクから読み出して再生する装置である。
【０００３】
ＶＴＲは、アナログ信号をビデオテープに記録するものであるため、画質が劣化したり編集作業が非常にやりにくいという欠点があるが、ハードディスクレコーダは、デジタル信号をハードディスクに記録するため、画質等の劣化がなく編集作業も自由に行えるという利点がある。また、ハードディスクレコーダにおいては、ユーザは所望の番組を再生する場合、ハードディスク内に記録されている番組情報を示す番組リストを表示させ、そのリストから所望の番組を選択することで容易に所望の番組の再生を行うことができる。
【０００４】
一方、ハードディスクの記録容量が大容量化されてきたとはいっても、その容量には限界があるため、ユーザは所望の番組を録画するに当たり所要の容量を確保するために、すでに録画した番組を削除する必要がある。また、番組の録画には比較的大容量（例えば数ＧＢ）を要するために、ユーザは頻繁に削除操作を行うこととなる。例えば、８０ＧＢの容量を有するハードディスクには約４０時間の番組を録画することが可能であるが、それ以上の番組を録画するためには録画済みの番組を削除しなければならない。
【０００５】
一般に、ハードディスクレコーダにおいて、ユーザが所望の番組を削除する場合は、ハードディスク内に記録されている番組情報を示す録画番組リストを表示させ、そのリストから所望の番組を選択し、削除設定を行うことにより、当該番組が記録されていた領域への上書きが可能となる。
【０００６】
また、上述したように録画番組を削除するために番組リストを表示させることなく、ユーザが容易に削除操作を行い、新たに録画するための容量を確保できるようにしたハードディスクレコーダも提案されている（例えば特許文献１，２）。
【０００７】
特許文献１には、テレビ放送信号を受信しているときは基本的に録画を行い、番組を録画しているときに同時にユーザが当該番組を視聴していた場合は、この録画番組を番組終了時に削除するようにしたハードディスクレコーダが開示されている。また、特許文献２には、ハードディスクに記録された番組を再生しているときに、当該番組の削除指令を行うことのできるハードディスクレコーダが開示されている。
【特許文献１】特開平１０―１８８５３３号公報
【特許文献２】特開２００２−２２２１０１号公報
【発明の開示】
【発明が解決しようとする課題】
【０００８】
ところで、上記先願技術を含む従来のハードディスクレコーダにおいては、新たに番組を録画するために既存の録画番組を削除するようにしているが、ここでいう「削除」とは、いわゆる上書き可能な状態にすることを意味し、記録されているデータを完全に消去するわけではない。つまり、記録されたデータを完全に消去するのは少なからず時間がかかる上、ＣＰＵに多大な負荷がかかり処理能力が低下するおそれがあるし、その領域には新たに番組が上書きされるのであるから、データの完全消去はしないようにしている。
【０００９】
したがって、従来のハードディスクレコーダにおいては、番組の削除操作がなされても、番組リストから削除されるだけで、そのデータ自体は消去されないので、当該領域に上書きがなされるまでは削除された番組を復帰させて、再生することも可能となっている。例えば、特許文献２では、削除番組復帰動作として削除された番組を復帰できることが明示されている。
【００１０】
一方、ハードディスクレコーダをユーザが一人で使用するだけならまだしも、複数人で使用する場合や、他人の手に渡ってしまう場合等は、自分が録画した番組を他人には再生されたくないと考えることもあり得る。例えば、テレビ番組ではなく個人的に録画した番組（例えば会議風景等）のような場合は、他人に再生されると不都合を生じることがある。
【００１１】
しかしながら、従来のハードディスクレコーダは、このような要求に対応できる構成ではなく、誰でも削除した番組を復帰して再生することが可能であるため、大事なデータが外部に漏洩してしまうという問題を生じるおそれがあり、セキュリティの面で安全であるとはいえない。
【００１２】
また、ユーザによって番組情報の削除処理が行われた場合、何れの番組情報を記録した領域も一様に上書き可能状態とされ、その後は若いアドレス領域から順に記録されることとなる。したがって、削除した番組情報を復帰可能に構成されているにも関わらず、記録領域のアドレスが若いというだけで優先的に上書きされ、復帰させることができなくなってしまうことがある。
【００１３】
本発明は、ハードディスクから削除された番組情報は特定のユーザしか復帰できないようにすることで録画番組のセキュリティを確保できるようにするとともに、優先順位の低い番組から上書きされるようにしたハードディスクレコーダを提供することを目的とする。
【課題を解決するための手段】
【００１４】
本発明は、上記課題を解決するためになされたものであり、外部から入力されるビデオ信号をデジタル化して番組情報をハードディスクに記録する記録手段と、ハードディスクに記録された番組に関する管理情報を記憶して管理する録画番組管理手段と、前記録画番組管理手段において所望の番組を選択することでハードディスクに記録された番組情報を読み出して再生する再生手段と、入力操作装置からの削除指令入力に基づいて当該番組の番組情報が記録されている領域を上書き可能状態とする番組情報削除手段と、前記番組情報削除手段により削除された番組に関する管理情報を記憶して管理する削除番組管理手段と、前記削除番組管理手段により管理されている番組を再生可能に復帰させる番組情報復帰手段と、を備えたハードディスクレコーダにおいて、前記番組情報削除手段は、前記録画番組管理手段により管理される何れかの番組について入力操作装置からの削除指令入力がなされる際に、当該番組に関連付けて認証情報を設定可能に構成され、入力操作装置からの情報入力により認証情報を設定されたときは、前記録画番組管理手段から当該番組に関する管理情報を削除するとともに、前記録画番組管理手段から削除された管理情報と前記認証情報を含む削除情報とを前記削除番組管理手段に格納し、前記番組情報復帰手段は、前記削除番組管理手段により管理される何れかの番組について入力操作装置による復帰指令入力がなされる際に、正式な認証情報を入力されたときだけ、前記削除番組管理手段から当該番組に関する管理情報及び削除情報を削除するとともに、前記削除番組管理手段から削除された管理情報を前記録画番組管理手段に格納するようにしたものである。これにより、認証情報を入力して番組情報の削除操作を行った当人だけしか、削除した番組を復帰させることはできなくなる。
【００１５】
また、前記番組情報削除手段は、前記削除番組管理手段により管理されている番組が記録されている領域に、前記記録手段による上書きが実行された場合、前記削除番組管理手段から当該番組に関する管理情報及び削除情報を削除するとともに、当該番組情報が記録されている領域を優先記録領域とし、前記記録手段は、番組情報をハードディスクに記録する際、ハードディスクの（１）未使用領域、（２）前記優先記録領域、（３）前記削除番組管理手段により管理されている番組のうち、認証情報が設定されていない番組の番組情報が記録されている領域、（４）認証情報が設定されている番組の番組情報が記録されている領域、の順に記録領域を設定するようにした。つまり、削除操作された番組でも当該番組情報が記録された領域に上書きされるまでは復帰させることが可能であるが、番組情報の一部にでも上書きされた場合は復帰させることは困難となるので、このような領域を優先記録領域として優先的に記録を行うようにした。また、ユーザは認証情報を設定することで、削除操作を行ったものの後日復帰させたくなる可能性のある番組については上書きされる順番を後回しにすることができ、復帰させることはない不必要な番組から優先的に記録を行わせることができる。
【００１６】
また、前記番組情報削除手段は、前記録画番組管理手段により管理される何れかの番組について入力操作装置による削除指令入力がなされる際に、当該番組に関連付けて認証情報とともに保存期間を削除情報として設定可能に構成され、認証情報ととも保存期間が設定された場合は、この保存期間が経過した後で当該番組の番組情報が記録されている領域を上書き可能状態とするようにした。これにより、削除操作を行っても復帰させる可能性の高い番組は、所定の期間は確実に復帰できるように保持することができる。
【００１７】
さらに、前記番組情報削除手段は、記録領域がない場合は、前記保存期間が経過する前に前記保存期間の早い順に当該番組の番組情報が記録されている領域を上書き可能状態とするようにした。これにより、記録領域が全くなくなった場合でも、最終手段として記録領域を確保することができる。
【００１８】
また、前記記録手段は、前記削除番組管理手段により管理されている番組のうち、前記番組情報削除手段による削除時期が早い順に記録領域を設定するのが望ましい。
【発明の効果】
【００１９】
本発明によれば、ハードディスクレコーダにおいて、番組情報削除手段は、前記録画番組管理手段により管理される何れかの番組についてユーザによる削除操作がなされる際に、当該番組に関連付けて認証情報を設定可能に構成され、ユーザにより認証情報を設定されたときは、前記録画番組管理手段から当該番組に関する管理情報を削除するとともに、前記録画番組管理手段から削除された管理情報と前記認証情報を含む削除情報とを前記削除番組管理手段に格納し、前記番組情報復帰手段は、前記削除番組管理手段により管理される何れかの番組についてユーザによる復帰操作がなされる際に、正式な認証情報を入力されたときだけ、前記削除番組管理手段から当該番組に関する管理情報及び削除情報を削除するとともに、前記削除番組管理手段から削除された管理情報を前記録画番組管理手段に格納するようにしたので、認証情報を入力して番組情報の削除操作を行った当人だけしか削除した番組を復帰させることはできなくなり、削除した番組情報を他人によって復帰されて再生されることはなくなる。したがって、漏洩しては困る番組情報のセキュリティを十分に保証することができる。
【発明を実施するための最良の形態】
【００２０】
以下、本発明の好適な実施の形態を図面に基づいて説明する。
【００２１】
図１は、本発明に係るハードディスクレコーダの実施形態を示すブロック図である。図１において、破線で囲んだブロックがハードディスクレコーダ１００である。
【００２２】
本実施形態のハードディスクレコーダ１００は、ハードディスクレコーダ１００全体の制御を行う主制御部１１と、アンテナ３１より入力された複数の放送局のテレビ放送信号から所望のチャンネルのテレビ放送信号を取り出しビデオ信号（映像信号及び音声信号）として出力するチューナ１２と、チューナ１２で取り出されたビデオ信号或いは外部入力端子を介して他のＡＶ装置から入力されたビデオ信号をデジタル信号に変換するＡ／Ｄ変換器１３と、Ａ／Ｄ変換器１３から入力されたデジタル信号を符号化してデジタルデータを生成する圧縮処理部１４と、圧縮処理部１４により符号化されたデジタルデータを録画された番組データとして記録するハードディスク（ＨＤＤ）１７と、ＨＤＤ１７に記録されたデジタルデータを読み出して複合化して元のデジタル信号を生成する伸張処理部１５と、復号化されたデジタル信号をアナログビデオ信号に変換しＴＶモニタ等の外部機器に出力するＤ／Ａ変換器１８と、前面パネル（図示せず）に設けられチャンネル設定などを行う各種の操作スイッチ１９と、チャンネル設定などを行うリモコン装置２１からの光信号（操作信号）を受光して電気信号に変換するリモコン受光部２０と、液晶ディスプレイやＬＥＤランプ等で構成されリモコン装置２１又は操作スイッチ１９からの操作内容等を表示する表示部２２と、で構成される。なお、本実施形態のハードディスクレコーダ１００では、圧縮処理部１４と伸張処理部１５の動作のみを制御する副制御部１６を設け、主制御部１１の負担を軽減している。
【００２３】
また、主制御部１１は、各部の制御および所定の演算を行いハードディスクレコーダ１００の動作を制御するＣＰＵ１１１と、ＣＰＵ１１１の作業用メモリとして用いられるとともにＨＤＤ１７に記録した番組に関する情報等を記憶するＲＡＭ１１２と、ＣＰＵ１１１で実行される制御用プログラム等が記録されたＲＯＭ１１３と、で構成される。
【００２４】
また、主制御部１１は、外部から入力されるビデオ信号をデジタル化して番組情報をハードディスクに記録する記録手段、ハードディスクに記録された番組に関する管理情報を記憶して管理する録画番組管理手段、録画番組管理手段において所望の番組を選択することでハードディスクに記録された番組情報を読み出して再生する再生手段、入力操作装置としてのリモコン装置２１又は操作スイッチ１９からの削除指令入力に基づいて当該番組の番組情報が記録されている領域を上書き可能状態とする番組情報削除手段、番組情報削除手段により削除された番組に関する管理情報を記憶して管理する削除番組管理手段、削除番組管理手段により管理されている番組を再生可能に復帰させる番組情報復帰手段、として機能する。なお、録画番組管理ファイル及び削除番組管理ファイルを格納したＲＡＭ１１２が前記録画番組管理手段及び前記削除番組管理手段となる。
【００２５】
図２はＲＡＭ１１２に格納される録画番組管理ファイルで、図３はＲＡＭ１１２に格納される削除番組管理ファイルである。図２に示すように、録画番組管理ファイルには、番組の目次情報（タイトル、放送日時、チャンネル等）と、それぞれの番組のコンテンツに関する情報（記録アドレス、記録容量等）からなる管理情報が、ＨＤＤ１７に記録された順にＮｏ．１から格納される。
【００２６】
また、図３に示すように、本実施形態では認証情報を設定された番組と設定されていない番組を別々の削除番組管理ファイル１，２により管理する。なお、これらの管理ファイルを同一の管理ファイルにより管理することができることは言うまでもない。
【００２７】
図３（ａ）に示す削除番組管理ファイル１は、録画番組管理ファイルから削除された番組のうちセキュリティを必要とする番組を管理するもので、番組の管理情報（図３ではコンテンツに関する情報は省略している）と、認証情報（図３では暗証番号）と保存期間とからなる削除情報と、が録画番組管理ファイルから削除された順にＮｏ．１から格納される。ここで、認証情報及び保存期間は、ユーザにより削除操作がなされたときに削除される番組に関連付けて設定される。一方、図３（ｂ）に示す削除番組管理ファイル２は、録画番組管理ファイルから削除された番組のうちセキュリティを必要としない番組を管理するもので、番組の管理情報（図３ではコンテンツに関する情報は省略している）のみが録画番組管理ファイルから削除された順にＮｏ．１から格納される。
【００２８】
本実施形態では、録画番組管理ファイルにより管理される何れかの番組についてユーザによる削除操作がなされると、録画番組管理ファイルから当該番組に関する管理情報が削除され、当該管理情報は削除番組管理ファイル１又は２に格納される。逆に、削除番組管理ファイル１又は２により管理される何れかの番組についてユーザによる復帰操作がなされると、削除番組管理ファイル１又は２から当該番組に関する管理情報が削除され、当該管理情報は録画番組管理ファイルに格納される。
【００２９】
また、削除番組管理ファイル１，２に格納された番組の管理情報は、当該番組の記録された領域が上書き可能状態にされ、実際に記録手段による上書きがなされた場合に（一部に上書きされた場合も含む）削除番組管理ファイル１，２から削除される。すなわち、一部にでも上書きされた番組は復帰して再生することは困難となるので、復帰させるための番組を管理しておく削除番組管理ファイル１，２から削除するようにしている。このとき、このようにして削除番組管理ファイル１，２から削除された番組が記録されている領域（上書きされた領域を除く）は、記録手段により新たに記録処理が実行される際に、削除番組管理ファイル１，２により管理されている削除番組よりも優先的に記録領域として設定されるように優先記録領域とされる。
【００３０】
上記のようなハードディスクレコーダ１００において、番組を録画する場合は、ユーザによる録画操作に基づいて、操作スイッチ１９或いはリモコン受光部２０から録画指令が主制御部１１に送信されたときに、主制御部１１が録画処理のための制御手順を実行する。これにより、外部から入力されたテレビ放送信号はデジタル化され番組情報がＨＤＤ１７に記録されるとともに、録画番組管理手段に当該番組の目次情報及びコンテンツに関する情報が管理情報として格納される。一方、ＨＤＤ１７に録画した番組を再生する場合は、録画番組リスト表示手段としての主制御部１１が、録画番組管理ファイルにより管理されている番組の目次情報（或いはその一部）をＴＶモニタの画面にリスト形式で表示させて、ユーザによる番組選択・再生操作に基づいて、操作スイッチ１９或いはリモコン受光部２０から再生指令が主制御部１１に送信されたときに、主制御部１１が再生処理のための制御手順を実行する。これにより、ＨＤＤ１７に記録された番組情報が主制御部１１により読み出され、ＴＶモニタに再生映像が表示される。
【００３１】
また、ＨＤＤ１７に録画した番組を削除する場合は、録画番組リスト表示手段としての主制御部１１が、録画番組管理ファイルにより管理されている番組の目次情報をＴＶモニタの画面にリスト形式で表示させて、ユーザによる番組選択・削除操作に基づいて、操作スイッチ１９或いはリモコン受光部２０から削除指令が主制御部１１に送信されたときに、番組情報削除手段としての主制御部１１が削除処理のための制御手順を実行する。この削除処理は、録画番組管理ファイルから当該番組の管理情報が削除されるだけで、その番組のコンテンツ情報自体が消去されるわけではない。さらに、本実施形態のハードディスクレコーダ１００では、ＨＤＤ１７に録画した番組を削除する際に、当該番組に関連付けて認証情報や保存期間を設定可能に構成されている。
【００３２】
以下に、本実施形態に係るハードディスクレコーダ１００における番組情報の削除処理について具体的に説明する。図４は番組情報削除手段としての主制御部１１で実行される削除処理の一例を示すフローチャートで、図５は図４のフローチャートに従って削除処理を行うときのＴＶモニタへの表示画面の一例である。
【００３３】
まず、録画番組管理ファイル（図２）に格納された番組を削除する場合、録画番組リスト表示手段により、録画番組管理ファイルに格納されている番組の目次情報をＴＶモニタの画面に表示させる（図５（ａ））。図５（ａ）では、目次情報のうち番組のタイトル、放送日、チャンネルをリスト形式で表示している。図５（ａ）の表示画面Ｄ１において、ユーザはカーソルＣを削除する番組に合わせて、削除ボタンＤＢを操作することで削除処理を開始させる。
【００３４】
削除処理が開始されると、まず、図４のステップＳ１０１で削除確認メッセージを表示する。このとき、ＴＶモニタには図５（ｂ）に示す画面Ｄ２が表示される。図５（ｂ）の画面Ｄ２において"はい"ボタンＹＢが操作されると通常の削除処理が実行され、"いいえ"ボタンＮＢが操作されるとセキュリティの高い削除処理が実行されることとなる。
【００３５】
つまり、図４のステップＳ１０２で、セキュリティが必要な削除処理であると判定すると、ステップＳ１０３、Ｓ１０４でユーザに暗証番号及び保存期間を入力させる。このとき、ＴＶモニタには図５（ｃ）に示す画面Ｄ３が表示され、この画面Ｄ３においてユーザは暗証番号及び保存期間を入力することとなる。
【００３６】
ユーザにより暗証番号及び保存期間を入力され、設定ボタンＳＢが操作されると、ステップＳ１０５で、録画番組管理ファイルから当該削除番組の管理情報を削除して録画番組リスト表示手段により当該番組の目次情報が表示されないようにするとともに、ステップＳ１０６で当該削除番組の管理情報と暗証番号及び保存期間からなる削除情報とを削除番組管理ファイル１（図３（ａ））に格納する。
【００３７】
そして、ステップＳ１０７で削除された番組が記録されている領域を上書き可能状態として削除処理を終了する。なお、保存期間が設定された場合は、当該保存期間の経過後に記録領域は開放されることとなる。また、上記保存期間は必ずしも必要はなく、入力されない場合は当該番組の記録領域を即座に開放すればよい。
【００３８】
一方、図４のステップＳ１０２で、セキュリティが不要な削除処理であると判定すると、ステップＳ１０８に移行し、録画番組管理ファイルから当該削除番組の管理情報を削除して録画番組リスト表示手段により当該番組の目次情報が表示されないようにするとともに、ステップＳ１０９で当該削除番組の管理情報を削除番組管理ファイル２（図３（ｂ））に格納する。そして、ステップＳ１０７で削除された番組が記録されている領域を上書き可能状態として削除処理を終了する。
【００３９】
以上のようにして、本実施形態に係るハードディスクレコーダにおける削除処理が実行される。
【００４０】
次に、本実施形態に係るハードディスクレコーダ１００における番組情報の復帰処理について具体的に説明する。図６は番組情報復帰手段としての主制御部１１で実行される復帰処理の一例を示すフローチャートで、図７は図６のフローチャートに従って復帰処理を行うときのＴＶモニタへの表示画面の一例である。
【００４１】
まず、削除番組管理ファイル１，２に格納された番組を復帰する場合、削除番組リスト表示手段により、削除番組管理ファイル１，２（図３）に格納されている番組の目次情報をＴＶモニタの画面に表示させる（図７（ａ））。図７（ａ）に示す削除番組リストにおいては、暗証番号の設定の有無による区別はなく表示される。図７（ａ）では、削除番組の放送日時の新しい順にリスト表示している。図７（ａ）の表示画面Ｄ４において、ユーザはカーソルＣを復帰する番組に合わせて、復帰ボタンＲＢを操作することで復帰処理を開始させる。
【００４２】
復帰処理が開始されると、まず、図６のステップＳ２０１で復帰確認メッセージを表示する。このとき、ＴＶモニタには図７（ｂ）に示す画面Ｄ５が表示される。図７（ｂ）の画面Ｄ５において"はい"ボタンＹＢが操作されると復帰処理が実行され、"いいえ"ボタンＮＢが操作されると復帰処理はキャンセルされる。
【００４３】
図７（ｂ）の画面Ｄ５において"はい"ボタンＹＢが操作されると、図６のステップＳ２０２で、当該復帰させる番組は暗証番号が設定されているか判定する。そして、暗証番号が設定されていると判定した場合は、ステップＳ２０３でユーザに暗証番号の入力を指示する。このとき、ＴＶモニタには図７（ｃ）に示す画面Ｄ６が表示され、この画面Ｄ６においてユーザは暗証番号を入力することとなる。
【００４４】
ユーザにより暗証番号を入力され設定ボタンＳＢが操作されると、ステップＳ２０４で入力された暗証番号が正しいか判定し、暗証番号が正しい場合はステップＳ２０５で削除番組管理ファイル１から当該復帰番組の管理情報及び削除情報を削除して削除番組リスト表示手段により当該番組の目次情報が表示されないようにするとともに、ステップＳ２０６で当該復帰番組の管理情報を録画番組管理ファイル（図２）に格納する。そして、ステップＳ２０７で復帰番組のコンテンツ情報が記録されている領域を上書き不可能状態として復帰処理を終了する。
【００４５】
ステップＳ２０４で、暗証番号が正しくないと判定した場合は当該番組を復帰させることなく復帰処理を終了する。なお、入力された暗証番号が正しくない場合に、暗証番号の入力を再度指示し、数回連続して暗証番号が正しくないときに当該番組を復帰させることなく復帰処理を終了するようにしてもよい。
【００４６】
一方、図６のステップＳ２０２で、暗証番号が設定されていないと判定すると、ステップＳ２０８に移行し、削除番組管理ファイル２から当該削除番組の管理情報を削除して削除番組リスト表示手段により当該番組の目次情報が表示されないようにするとともに、ステップＳ２０９で当該復帰番組の管理情報を録画番組管理ファイルに格納する。以上のようにして、本実施形態に係るハードディスクレコーダにおける復帰処理が実行される。
【００４７】
上述したように、本実施形態に係るハードディスクレコーダ１００では、ＨＤＤ１７に記録された番組を削除する際に認証情報を入力された場合は、当該認証情報を入力して番組情報の削除操作を行った当人だけしか削除した番組を復帰させることはできなくなるので、他人が当該削除された番組を勝手に復帰させて再生するのを防ぐことができる。したがって、漏洩しては困る番組情報のセキュリティを十分に保証することができる。
【００４８】
また、本実施形態のハードディスクレコーダでは、ＨＤＤ１７に番組を録画する際に、番組の記録領域を、以下のようにして設定するようにしている。図８は、記録手段としての主制御部１１で実行される記録領域設定処理の一例を示すフローチャートである。
【００４９】
まず、主制御部１１は、ステップＳ３０１でＨＤＤ１７内に未使用領域があるか判定し、未使用領域がある場合はそこを記録領域として設定する（ステップＳ３０２）。一方、ＨＤＤ１７に未使用領域がない場合はステップＳ３０３に移行する。
【００５０】
次に、ステップＳ３０３で優先記録領域があるか判定し、優先記録領域がある場合はそこを記録領域として設定する（ステップＳ３０４）。一方、優先記録領域がない場合はステップＳ３０５に移行する。ここで、優先記録領域とは、先に削除番組管理ファイルの説明において述べているが、削除番組管理ファイルにより管理されていたが、新たな記録処理により削除番組管理ファイルから削除された番組が記録されている領域（上書きされた領域を除く）のことである。
【００５１】
次に、ステップＳ３０５で削除番組管理ファイル２（図３（ｂ））に管理されている番組、すなわち暗証番号の設定されていない削除番組があるか判定し、暗証番号の設定されていない削除番組がある場合は、当該削除番組のコンテンツ情報が記録されている領域を記録領域として決定する。なお、削除番組管理ファイル２に複数の削除番組が管理されているときは、削除された日時の古い順に記録領域として設定する。または、放送日時（録画日時）の古い順に記録領域として設定するようにしてもよい。一方、削除番組管理ファイル２に管理されている番組がない場合はステップＳ３０７に移行する。
【００５２】
次いで、ステップＳ３０７で削除番組管理ファイル１（図３（ａ））に管理されている番組、すなわち暗証番号の設定されている削除番組があるか判定し、暗証番号の設定されている削除番組がある場合はステップＳ３０８に移行する。そして、ステップＳ３０８で当該削除番組に関連付けて設定された保存期間が経過している削除番組があるか、すなわち図４のステップＳ１０７で上書き可能状態とされた削除番組があるかを判定し、保存期間が経過して上書き可能状態とされた削除番組がある場合は当該削除番組が記録されている領域を記録領域として設定する（ステップＳ３０９）。なお、複数の削除番組が上書き可能状態となっているときは、保存期間の早い順に記録領域として設定する。
【００５３】
ステップＳ３０８で上書き可能状態となっている削除番組はないと判定した場合は、保存期間の早い順に当該削除番組が記録されている領域を強制的に上書き可能状態とし（ステップＳ３１０）、記録領域として設定する（ステップＳ３１１）。
【００５４】
一方、ステップＳ３０７で削除番組管理ファイル１に管理されている番組がないと判定した場合は、記録可能な領域はないこととなるのでそのまま処理を終了する。この場合は、ユーザに記録可能領域がないことを報知し、既存の録画番組を削除して記録可能領域を確保するように促すようにするのが望ましい。
【００５５】
上述したように、本実施形態のハードディスクレコーダでは、番組をハードディスクに録画する際、ハードディスクの（１）未使用領域、（２）優先記録領域、（３）削除番組管理ファイル２により管理されている番組（認証情報が設定されていない番組）が記録されている領域、（４）削除番組管理ファイル１により管理されている番組（認証情報が設定されている番組）が記録されている領域、の順に記録領域を設定するようにしている。
【００５６】
これにより、ユーザは認証情報を設定することで、削除操作を行ったものの後日復帰させたくなる可能性のある番組については上書きされる順番を後回しにすることができ、復帰させることはない不必要な番組から優先的に記録を行わせることができる。また、認証情報ととも保存期間が設定された場合は、この保存期間が経過した後で当該番組の番組情報が記録されている領域を上書き可能状態とするようにしているので、削除操作を行っても復帰させる可能性の高い番組は、所定の期間は確実に復帰できるように保持することができる。この場合でも、記録領域が全くない場合は、保存期間が経過する前でも保存期間の早い順に当該番組の番組情報が記録されている領域を上書き可能状態とするようにすることで、最終手段として記録領域を確保することができる。
【００５７】
以上、本発明者によってなされた発明を実施形態に基づいて具体的に説明したが、本発明は上記実施形態に限定されるものではなく、その要旨を逸脱しない範囲で変更可能である。
【００５８】
例えば、上記実施形態では、認証情報として４桁の数字からなる暗証番号を用いているが、数字、英字、及び記号からなるパスワードを用いることもできる。
【００５９】
また、上記実施形態では、保存期間の設定された削除番組を、記録領域が全くない場合に限って保存期間が経過する前でも保存期間の早い順に当該番組が記録されている領域を上書き可能状態とするようにしている（図８のステップＳ３１０，３１１）が、保存期間内は上書き可能状態とはせずに、このような場合はユーザに記録可能領域がないことを報知し、既存の録画番組を削除して記録可能領域を確保するように促すようにしてもよい。
【図面の簡単な説明】
【００６０】
【図１】本発明に係るハードディスクレコーダの実施形態を示すブロック図である。
【図２】ＲＡＭ１１２に格納された録画番組管理ファイルの一構成例である。
【図３】ＲＡＭ１１２に格納された削除番組管理ファイルの一構成例である。
【図４】番組情報削除手段としての主制御部１１で実行される削除処理の一例を示すフローチャートである。
【図５】図４のフローチャートに従って削除処理を行うときのＴＶモニタへの表示画面の一例である。
【図６】番組情報復帰手段としての主制御部１１で実行される削除処理の一例を示すフローチャートである。
【図７】図６のフローチャートに従って復帰処理を行うときのＴＶモニタへの表示画面の一例である。
【図８】記録手段としての主制御部１１で実行される記録領域設定処理の一例を示すフローチャートである。
【符号の説明】
【００６１】
１１    主制御部
１１１  ＣＰＵ
１１２  ＲＡＭ
１１３  ＲＯＭ
１２    チューナ
１３    Ａ／Ｄ変換器
１４    圧縮処理部
１５    伸張処理部
１６    副制御部
１７    ハードディスク（ＨＤＤ）
１８    Ｄ／Ａ変換器
１９    操作スイッチ
２０    リモコン受光部
２１    リモコン
２２    表示部
３１    アンテナ
１００  ハードディスクレコーダ
【図１】
2005347992.tif 000003
【図２】
2005347992.tif 000004
【図３】
2005347992.tif 000005
【図４】
2005347992.tif 000006
【図５】
2005347992.tif 000007
【図６】
2005347992.tif 000008
【図７】
2005347992.tif 000009
【図８】
2005347992.tif 000010